【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
炭素含有燃料と酸化剤が第一燃焼産物を生産するために反応するように導入位置を第一次ゾーンの中に前記炭素含有燃料と酸化剤を導入し、前記第一燃焼産物と未反応残留物は入来炭素含有燃料と酸化剤および／または何らかの新たに形成された燃焼産物および／または未反応残留物と混合され、また反応させられ、それによって燃焼混合物を形成し、
前記燃焼混合物を回収またはさらなる処理のために第二次ゾーンの中に導入する
ことを特徴とする燃焼によりフラーレンを生産する方法。
【請求項２】
前記燃焼混合物はフラーレン、および／またはフラーレン中間体とその他の材料とから成ることを特徴とする請求項１に記載されている前記方法。
【請求項３】
前記第一次ゾーンは、前記燃料と、酸化剤と、燃焼混合物とのそれぞれが空間の関数としてほぼ定常なものとなっている少なくとも一つの状態変数を有する少なくとも一つの明確に定義された領域を有することを特徴とする請求項１に記載されている前記方法。
【請求項４】
前記第一次ゾーンの少なくとも約１０％は前記明確に定義された領域の中にあることを特徴とする請求項３に記載されている前記方法。
【請求項５】
前記炭素含有燃料と前記酸化剤は複数の導入位置において前記第一次ゾーンの中に導入されることを特徴とする請求項１に記載されている前記方法。
【請求項６】
前記炭素含有燃料はフラーレン形成燃料から成ることを特徴とする請求項１に記載されている前記方法。
【請求項７】
前記フラーレン形成燃料は一つの不飽和炭化水素から成ることを特徴とする請求項６に記載されている前記方法。
【請求項８】
前記不飽和炭化水素はアセチレンと、ポリアセチレンと、芳香族と高度に芳香族化合物を含有する材料と、それらを組み合わせたものから成る群から選択されることを特徴とする請求項７に記載されている前記方法。
【請求項９】
前記炭素含有燃料はベンジンから成ることを特徴とする請求項１に記載されている前記方法。
【請求項１０】
不活性ガスと、ハロゲン含有化合物と、アルカリ金属またはアルカリ土類金属とを含有する化合物、金属、すなわち、マンガン、鉄またはバリウムを含む化合物、環式芳香族酸無水化合物を含有している化合物、コバルト、鉄またはニッケルを含有している化合物と、それらを組み合わせたものをさらに前記第一次ゾーンの中に導入することを特徴とする、請求項１に記載されている前記方法。
【請求項１１】
前記第一次ゾーンにおける圧力は１０から４００ｔｏｒｒの範囲にあることを特徴とする請求項１に記載されている前記方法。
【請求項１２】
総等価比は１．８〜４．０の範囲にあることを特徴とする請求項１に記載されている前記方法。
【請求項１３】
総等価比は１．８から４．０の範囲にあることを特徴とする請求項１１に記載されている前記方法。
【請求項１４】
前記第一次ゾーンにおける温度は１５００Ｋから２５００Ｋまでの範囲にあることを特徴とする請求項１に記載されている前記方法。
【請求項１５】
前記第一次ゾーンにおける温度は１５００Ｋから２５００Ｋまでの範囲にあることを特徴とする請求項１３に記載されている前記方法。
【請求項１６】
前記第一次ゾーンにおける前記滞留時間は２〜５００ｍｓの範囲にあることを特徴とする請求項１に記載されている前記方法。
【請求項１７】
前記第一次ゾーンにおける前記滞留時間は２〜５００ｍｓの範囲にあることを特徴とする請求項１５に記載されている前記方法。
【請求項１８】
炭素含有燃料と酸化剤が第一燃焼産物を生産するために反応するように導入位置を第一次ゾーンの中に前記炭素含有燃料と酸化剤を導入し、前記第一燃焼産物と未反応残留物は入来炭素含有燃料と酸化剤および／または何らかの新たに形成された燃焼産物および／または未反応残留物と混合され、また反応させられ、それによって燃焼混合物を形成し、
前記燃焼混合物を第二次ゾーンの中に導入し、
フラーレンとその他の材料から成る第二燃焼産物を含むストリームを生産するため前記第二次ゾーンにおける前記燃焼混合物の構成要素が滞留時間の間反応を実施することを可能にし、
フラーレン生産を促進するための条件下で前記第二次ゾーンにおいて異なる滞留時間に対応して異なる領域からの材料の間で混合と反応は最小限にされるように前記第二次ゾーンを通って前記ストリームは流れることを特徴とする燃焼によりフラーレンを生産する方法。
【請求項１９】
前記第一次ゾーンは、前記燃料と、酸化剤と、燃焼混合物とのそれぞれが空間の関数としてほぼ定常なものとなっている少なくとも一つの状態変数を有する、少なくとも一つの明確に定義された領域を有することを特徴とする請求項１８に記載されている前記方法。
【請求項２０】
前記第一次ゾーンの少なくとも約１０％は前記明確に定義された領域の中にあることを特徴とする請求項１９に記載されている前記方法。
【請求項２１】
前記炭素含有燃料と前記酸化剤は複数の導入位置において前記第一次ゾーンの中に導入されることを特徴とする請求項１８に記載されている前記方法。
【請求項２２】
前記第二次ゾーンにおける前記ストリームの中にある前記材料は、フラーレン生産を好適なものにする条件下で反応を実施することが許容されることを特徴とする請求項１８に記載されている前記方法。
【請求項２３】
前記炭素含有燃料はフラーレン形成燃料、非フラーレン形成燃料またはそれらを組み合わせたものから成ることを特徴とする請求項１８に記載されている前記方法。
【請求項２４】
前記フラーレン形成燃料は一つの不飽和炭化水素から成ることを特徴とする請求項２３に記載されている前記方法。
【請求項２５】
前記不飽和炭化水素はアセチレンと、ポリアセチレンと、芳香族と高度に芳香族化合物を含有する材料と、それらを組み合わせたものから成る群から選択されることを特徴とする請求項２４に記載されている前記方法。
【請求項２６】
前記フラーレン形成燃料はベンジンから成ることを特徴とする請求項２３に記載されている前記方法。
【請求項２７】
さらに前記第二次ゾーンの中に一つの添加剤を導入することを特徴とする、請求項１８に記載されている前記方法。
【請求項２８】
前記添加剤は、ハロゲン含有化合物、アルカリ金属を含有する化合物またはアルカリ土類金属、金属、すなわち、マンガン、鉄またはバリウムを含む化合物、環式芳香族酸無水物を含有する化合物、コバルト、鉄またはニッケルを含有する化合物と、それらを組み合わせたものから成る群から選択されることを特徴とする請求項２７に記載されている前記方法。
【請求項２９】
前記第一次ゾーンにおける圧力は１０から４００ｔｏｒｒの範囲にあることを特徴とする請求項１８に記載されている前記方法。
【請求項３０】
総等価比は１．８〜４．０の範囲にあることを特徴とする請求項１８に記載されている前記方法。
【請求項３１】
総等価比は１．８から４．０の範囲にあることを特徴とする請求項２９に記載されている前記方法。
【請求項３２】
前記第一次ゾーンにおける温度は１５００Ｋから２５００Ｋまでの範囲にあることを特徴とする請求項１８に記載されている前記方法。
【請求項３３】
前記第一次ゾーンにおける温度は１５００Ｋから２５００Ｋまでの範囲にあることを特徴とする請求項３１に記載されている前記方法。
【請求項３４】
前記第二次ゾーンにおける温度は１５００Ｋから２５００Ｋまでの範囲にあることを特徴とする請求項１８に記載されている前記方法。
【請求項３５】
前記第二次ゾーンにおける温度は１５００Ｋから２５００Ｋまでの範囲にあることを特徴とする請求項３３に記載されている前記方法。
【請求項３６】
前記第一次ゾーンにおける前記滞留時間は２〜５００ｍｓの範囲にあることを特徴とする請求項１８に記載されている前記方法。
【請求項３７】
前記第一次ゾーンにおける前記滞留時間は２〜５００ｍｓの範囲にあることを特徴とする請求項３５に記載されている前記方法。
【請求項３８】
前記第二次ゾーンにおける前記滞留時間は５ｍｓ〜１０ｓの範囲にあることを特徴とする請求項１８に記載されている前記方法。
【請求項３９】
前記第二次ゾーンにおける前記滞留時間は５ｍｓ〜１０ｓの範囲にあることを特徴とする請求項３７に記載されている前記方法
【請求項４０】
炭素含有燃料と酸化剤が、第一燃焼産物を生産するために反応するように導入位置を第一次ゾーンの中に前記燃料と酸化剤を導入し、それによって燃焼混合物を形成し、
前記燃焼混合物を第二次ゾーンの中に導入し、
フラーレンとその他の材料から成る第二燃焼産物を含むストリームを生み出すため前記第二次ゾーンにおける前記燃焼混合物の構成要素が滞留時間の間反応を実施することを可能し、フラーレン生産を増進するための条件下で前記第二次ゾーンにおける異なる滞留時間に対応して異なる領域からの材料の間での混合と反応は最小限にするように前記第二次ゾーンを通って前記ストリームは流れることを特徴とする燃焼によりフラーレンを生産する方法方法。
【請求項４１】
前記炭素含有燃料と前記酸化剤は複数の導入位置において前記第一次ゾーンの中に導入されることを特徴とする請求項４０に記載されている前記方法。
【請求項４２】
前記第二次ゾーンにおける前記ストリームの中にある前記材料は、フラーレン生産を好適なものにする条件下で反応を実施することが許容されることを特徴とする請求項４０に記載されている前記方法。
【請求項４３】
前記炭素含有燃料はフラーレン形成燃料、非フラーレン形成燃料またはそれらを組み合わせたものから成ることを特徴とする請求項４０に記載されている前記方法。
【請求項４４】
前記フラーレン形成燃料は一つの不飽和炭化水素から成ることを特徴とする請求項４３に記載されている前記方法。
【請求項４５】
前記不飽和炭化水素はアセチレンと、ポリアセチレンと、芳香族と高度に芳香族化合物を含有する材料と、それらを組み合わせたものから成る群から選択されることを特徴とする請求項４４に記載されている前記方法。
【請求項４６】
前記フラーレン形成燃料はベンジンから成ることを特徴とする請求項４３に記載されている前記方法。
【請求項４７】
さらに前記第二次ゾーンの中に一つの添加剤を導入することを特徴とする、請求項４０に記載されている前記方法。
【請求項４８】
前記添加剤は、ハロゲン含有化合物、アルカリ金属を含有する化合物またはアルカリ土類金属、金属、すなわち、マンガン、鉄またはバリウムを含む化合物、環式芳香族酸無水化合物を含有する化合物、コバルト、鉄またはニッケルを含有する化合物と、それらを組み合わせたものから成る群から選択されることを特徴とする請求項４７に記載されている前記方法。
【請求項４９】
前記第一次ゾーンにおける圧力は１０から４００ｔｏｒｒの範囲にあることを特徴とする請求項４０に記載されている前記方法。
【請求項５０】
総等価比は１．８〜４．０の範囲にあることを特徴とする請求項４０に記載されている前記方法。
【請求項５１】
総等価比は１．８〜４．０の範囲にあることを特徴とする請求項４９に記載されている前記方法。
【請求項５２】
前記第一次ゾーンにおける温度は１５００Ｋから２５００Ｋまでの範囲にあることを特徴とする請求項４０に記載されている前記方法。
【請求項５３】
前記第一次ゾーンにおける温度は１５００Ｋから２５００Ｋまでの範囲にあることを特徴とする請求項５１に記載されている前記方法。
【請求項５４】
前記第二次ゾーンにおける温度は１５００Ｋから２５００Ｋまでの範囲にあることを特徴とする請求項４０に記載されている前記方法。
【請求項５５】
前記第二次ゾーンにおける温度は１５００Ｋから２５００Ｋまでの範囲にあることを特徴とする請求項５３に記載されている前記方法。
【請求項５６】
前記第一次ゾーンにおける前記滞留時間は２〜５００ｍｓの範囲にあることを特徴とする請求項４０に記載されている前記方法。
【請求項５７】
前記第一次ゾーンにおける前記滞留時間は２〜５００ｍｓの範囲にあることを特徴とする請求項５５に記載されている前記方法。
【請求項５８】
前記第二次ゾーンにおける前記滞留時間は５ｍｓ〜１０ｓの範囲にあることを特徴とする請求項４０に記載されている前記方法。
【請求項５９】
前記第二次ゾーンにおける前記滞留時間は５ｍｓ〜１０ｓの範囲にあることを特徴とする請求項５７に記載されている前記方法。
【請求項６０】
第一供給物をチャンバの中に注入するための第一注入入口と、前記チャンバの中に第二供給物を注入するための第二注入入口とを有するチャンバから成り、前記第二供給物の初期滞留時間材料が、前記第一供給物の後期滞留時間材料と混合し、また、反応するように、前記第一供給物が前記第二供給物と部分的に重複するように方向付けられるように前記第一注入入口が位置付けられていることを特徴とした、前記燃焼器。
【請求項６１】
第一供給物をチャンバの中に注入するための第一注入入口と、前記チャンバの中に第二供給物を注入するための第二注入入口とを有するチャンバから成り、前記第一注入入口は、前記第一供給物は噴流される初期滞留時間材料を、前記第二供給物の後期滞留時間材料の中に供給するように、前記第二注入入口に対して位置付けられ、第二供給物の初期滞留時間材料の中に噴流される後期滞留時間材料が供給され、また、噴流される中間体滞留時間材料は第二供給物の中間対滞留時間材料の中に供給されることを特徴とする燃焼器。
【請求項６２】
前記第二供給物の噴流の分量が前記第一供給物の前記フローにより増進されるように前記第一注入入口がさらに位置付けられる、請求項６１に定義されている燃焼器。